(57)【要約】【課題】  メンテナンスを行うときなどにガスケットに接している他の部品を頻繁に交換しても容易に脱落しないガスケット。【解決手段】基板部４の下面５にはスナップ６が複数箇所に設けられ、スナップ６の１つに隣接してストッパ突起７が設けられている。ガスケット１は、下面５を板部材１５に対面させて（ａ）、各スナップ６を取付穴１６に挿入し（ｂ）、ガスケット１を板部材１５の表面に沿って移動させる（ｂ〜ｃ）。スナップ６が取付穴１６の縁部に乗り上がるように弾性変形し、スナップ６と基板部４とで板部材１５を挟持し、基板部４が板部材１５の表面に圧接する。また、ストッパ突起７が取付穴１６に落ち込んで取付穴１６に係止されるので、ガスケット１の板部材１５からの離脱が防止される。【選択図】  図３
2007224975.tif 000002
【特許請求の範囲】
【請求項１】
板状の基板部と、
該基板部の一方の面に取り付けられたガスケット機能部と、
前記基板部の他方の面を取付相手に対面させて該取付相手に取り付けるための取付手段と
を備えるガスケットにおいて、
前記取付相手に設けられた取付穴に挿入してから前記取付相手の表面に沿って移動させることで前記基板部との間に前記取付相手の一部を挟持する挟持部と、
前記挟持部の前記移動が設定量に達すると、前記取付相手に設けられた係止穴に係止されて前記挟持のための移動方向とは逆方向への移動を規制する逆止部とが、
前記取付手段として前記基板部の他方の面に設けられている
ことを特徴とするガスケット。
【請求項２】
請求項１記載のガスケットにおいて、
前記ガスケット機能部の表面は導電性である
ことを特徴とするガスケット。
【請求項３】
請求項１または２記載のガスケットにおいて、
前記ガスケット機能部の端部が前記基板部の長手方向の端から突出している
ことを特徴とするガスケット。
【発明の詳細な説明】
【技術分野】
【０００１】
本発明は、ガスケットの技術分野に属する。
【背景技術】
【０００２】
コンピュータ、通信制御装置、薄型テレビ等の電子機器では、電磁波遮蔽のためのガスケットが使用されている。
そうしたガスケットには、筐体に嵌めつけられていて、電子機器の組立時に横方向からの力が及ぼされるものがある。このような、ガスケットには、電磁波遮蔽というような機能上の要求だけでなく、取付が容易で、しかも脱落しにくい構造も求められる。
【０００３】
例えば特開２００４−２００４４４号公報（特許文献１）には、筐体の第１の面に当接し板ばねとして機能する蓋部と、筐体の貫通孔に挿入される挿入部とを有し、挿入部は、蓋部の略中央から延びて貫通孔に収納される支持部と、支持部に結合し、筐体の貫通孔から少なくとも部分的に突出して第２の面に当接する係止部とを有し、係止部は、支持部に結合された脚部と、脚部に結合し、脚部に対して鋭角をなすように配置された足部とを有する構造で、電子機器に嵌め込み易く抜けにくいガスケットが開示されている。
【特許文献１】特開２００４−２００４４４号公報
【発明の開示】
【発明が解決しようとする課題】
【０００４】
特許文献１のガスケットは、メンテナンスを行う時などに、ガスケットに接している他の部材を頻繁に交換すると脱落し易い。
【課題を解決するための手段】
【０００５】
請求項１記載のガスケットは、板状の基板部と、該基板部の一方の面に取り付けられたガスケット機能部と、前記基板部の他方の面を取付相手に対面させて該取付相手に取り付けるための取付手段とを備えるガスケットにおいて、
前記取付相手に設けられた取付穴に挿入してから前記取付相手の表面に沿って移動させることで前記基板部との間に前記取付相手の一部を挟持する挟持部と、
前記挟持部の前記移動が設定量に達すると、前記取付相手に設けられた係止穴に係止されて前記挟持のための移動方向とは逆方向への移動を規制する逆止部とが、
前記取付手段として前記基板部の他方の面に設けられている
ことを特徴とする。
【０００６】
このガスケットを取付相手、筐体に取り付けるには、基板部を取付相手に対面させて基板部に設けられた挟持部を取付相手に設けられた取付穴に挿入してからガスケットを取付相手の表面に沿って移動させる。すると、挟持部と基板部との間に取付相手の一部を挟持し、基板部が取付相手の表面に圧接する。また、挟持部の移動、つまり挟持量が設定量に達すると逆止部が取付相手に設けられた係止穴に係止されて、挟持のための移動方向とは逆方向への移動を規制するので、ガスケットの離脱が防止される。
【０００７】
このように、取付は容易であり、取付相手、筐体に設けられる取付穴及び係止穴の寸法も小さくて済む。なお、取付穴が係止穴を兼ねてもよい。
挟持部を取付穴に挿入してからガスケットを移動させて取り付けるので、このときに挟持部が取付穴に挿入されていることを確認すれば正常な取付になる。つまり、取付不良が生じにくい。
【０００８】
また、挟持部と基板部との間に取付相手の一部を挟持しているので、電子機器の組立時等に横方向からの力が及ぼされても、挟持部が取付穴から引き抜かれる（ガスケットが取付相手から剥がされる）のを防止できる。すなわち、脱落しにくい。
【０００９】
本発明の特徴は、メンテナンスなどで、本発明の横方向（側面）から力が加わっても取付手段によってしっかりと取付相手に挟持されているため、従来品では容易に脱落してしまうようなところにも使用できることである。
【００１０】
ガスケット機能部はシールのための部材であるから、その材質、物性、形状、寸法等は用途に応じて適宜選択されればよく、特段の制限はない。
但し、請求項２記載のように、ガスケット機能部の表面（全体でもよい）を導電性にしておけば、ガスケットを介在させている２つの部材、筐体とプリント基板、ＰＤＰや液晶パネルとベゼルといった２部材間でグランドを取ることができ、また電磁波シールドもできる。
【００１１】
請求項３記載のガスケットは、請求項１または２記載のガスケットにおいて、前記ガスケット機能部の端部が前記基板部の長手方向の端から突出していることを特徴とする。つまり、ガスケット機能部が基板部の両端又は一端からはみ出している。
【００１２】
基板部にナイロン、ＰＢＴ、ＡＢＳ等の比較的硬質の樹脂が用いられると、基板部の端面を筐体等の壁面に密接させるのは困難である。しかし、ガスケット機能部が基板部の両端又は一端からはみ出しているから、基板部の端面を筐体等の壁面に密接させなくても、ガスケット機能部を筐体等の壁面に密接させることができる。これによって、ガスケットとしての機能が充分に発揮される。なお、ガスケット機能部の一端だけが基板部の端からはみ出しているだけでも上記の効果が得られるが、両端がはみ出している方が好ましい。
【００１３】
また、ガスケットの取り付けを要する部分が長い場合、コーナーやＴ字分岐する場合等には、複数のガスケットをつなげるように配置する必要があるが、ガスケット機能部が基板部の両端又は一端からはみ出しているから、そのような接続部においてガスケット機能部同士を隙間なく接触させることができる。このように複数のガスケットを連続的に配置する場合にも、ガスケットとしての機能が充分に発揮される。
【発明を実施するための最良の形態】
【００１４】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例１］
図１に示すように、本実施例のガスケット１は、ナイロン、ＰＢＴ、ＡＢＳ等の樹脂成形品である樹脂部材２と、ガスケット機能部３とで構成されている。
【００１５】
樹脂部材２には、図２に示すように、長方形の基板部４が設けられている。
この基板部４の片面（以下、下面という）５には、挟持部となるスナップ６が複数箇所に設けられている。スナップ６は、その一端にて基板部４に連接されている。スナップ６は略Ｌ字状であるが、基板部４との間隔は先端６ａ側が狭くなっている。また、底面６ｂは長方形（ほぼ正方形）をしている。
【００１６】
また、基板部４の下面５には、スナップ６の１つに隣接して、逆止部となるストッパ突起７が設けられている。ストッパ突起７は基板部４の下面５に対して略垂直な係止面７ａと、傾斜している案内面７ｂとを備えている。なお、本実施例ではストッパ突起７は１箇所だけ設けてあるが、２つ以上にしてもよい。例えば、各スナップ６に対応してストッパ突起７を設けてもよい。
【００１７】
ガスケット機能部３は、図１（ｇ）に示すように、弾性材（ウレタンスポンジ、シリコーンゴム等）の充填材１１を導電材（導電布）の外皮材１２で被覆して構成されている。充填材１１と外皮材１２の内面とはホットメルトによって固着されている。また、外皮材１２は、基板部４の側面を覆って下面５に達しており、下面５ともホットメルトによって固着されている。
【００１８】
一方、図１（ｃ）に良好に示されるように、ガスケット機能部３の全長は基板部４よりも長く、ガスケット機能部３の端部３ａは基板部４の端４ａからはみ出している。このはみ出し分の長さは０．５〜２ｍｍ程度が好ましく、本実施例では１ｍｍで設計されている。
【００１９】
図２（ｅ）に示すように、本実施例のガスケット１が取り付けられる板部材（電子機器の筐体）１５には、スナップ６の底面６ｂの外周寸法をわずかに上回る寸法の取付穴１６が、スナップ６の数と同数、スナップ６の配置間隔に対応して設けられている。
【００２０】
図３に示すように、ガスケット１を板部材１５に取り付けるには、基板部４の下面５を板部材１５に対面させて（ａ）、各スナップ６を取付穴１６に挿入し（ｂ）、ガスケット１を板部材１５の表面に沿って、スナップ６の先端６ａ方向に移動させる（ｂ〜ｃ）。
【００２１】
すると、スナップ６が取付穴１６の縁部に乗り上がるように弾性変形し、その弾性復元力によってスナップ６と基板部４とで板部材１５の一部を挟持し、基板部４（厳密には下面５に被着されている外皮材１２）が板部材１５の表面に圧接する。
【００２２】
また、スナップ６の基部が取付穴１６の内周に当接すると、ストッパ突起７が取付穴１６の１つに落ち込んで、係止面７ａが取付穴１６の内周に係止される。このため、上記とは逆方向へのガスケット１の移動が規制されるので、ガスケット１の板部材１５からの離脱が防止される。すなわち、取付穴１６の１つは係止穴を兼ねている。
【００２３】
ガスケット１が取り付けられた板部材１５は、図４に例示するように他の部材１７に組み付けられる。ガスケット１のガスケット機能部３は、他の部材１７と板部材１５との間に挟まれて弾性変形することで他の部材１７に圧接する。これにより、導電性の他の部材１７（又は他の部材１７に設けられているアースパターン等）が、ガスケット機能部３の外皮材１２を介して板部材１５（又は板部材１５に設けられているアースパターン等）と電気的に導通する。このようにして２部材１５、１７間でグランドを取ることができ、また電磁波シールドもできる。
【００２４】
このように、ガスケット１の板部材１５への取付は容易であり、取付相手となる板部材１５に設けられる取付穴１６の寸法も小さくて済む。
スナップ６を取付穴１６に挿入してからガスケット１を移動させて取り付けるので、このときに各スナップ６が対応する取付穴１６に挿入されていることを確認すれば正常な取付になる。つまり、取付不良が生じにくい。
【００２５】
また、スナップ６と基板部４との間に板部材１５の一部を挟持しているので、図４に示すように、板部材１５の組付け時等に横方向からの力がガスケット１に及ぼされても、スナップ６が取付穴１６から引き抜かれる（ガスケット１が板部材１５から剥がされる）のを防止できる。すなわち、脱落しにくい。従って、メンテナンスを行うときなどにガスケット１に接している他の部材１７を頻繁に交換しても容易に脱落しない。
【００２６】
ところで、基板部４には、ナイロン、ＰＢＴ、ＡＢＳ等の樹脂が用いられるので、基板部４の端４ａを筐体等の壁面に密接させるのは困難である。しかし、本実施例のガスケット１は、ガスケット機能部３の端部３ａが基板部４の長手方向の端４ａから突出している（ガスケット機能部３が基板部４の両端からはみ出している）ので、基板部４の端４ａを壁面等に密接できなくても、ガスケット機能部３の端部３ａは密接させることができる。これによって、ガスケット１に要求されるシール、電磁波遮蔽の機能が充分に発揮される。
【００２７】
また、ガスケット１の取り付けを要する部分が長くて１本では足りないとき、ガスケット１を開口等のコーナー部分に配置したり、ガスケット１をＴ字状に配置する場合には、複数本のガスケット１を、相互に接続させる必要があるが、ガスケット機能部３が基板部４の端４ａからはみ出しているから、そのような接続部分においてガスケット機能部３同士を隙間なく接触させることができる。このように複数のガスケット１を連続的に配置する場合にも、ガスケット１に要求されるシール、電磁波遮蔽の機能が充分に発揮される。
【００２８】
しかも、本実施例のガスケット１は、ガスケット機能部３の端部３ａが基板部４の両端４ａからはみ出しているので、基板部４や取付相手（板部材１５）に長さのばらつきが発生しても、ガスケット機能部３の基板部４からの突出部分がそうしたばらつきを吸収し、末端にまでシールすることができる。
［実施例２］
実施例１とは挟持部及び逆止部の構造を異ならせた例を実施例２として説明する。なお、実施例１と共通の部分については実施例１と同符号を使用して説明を省略する。
【００２９】
図５、図６に示すように、本実施例のガスケット２１のの基板部４の下面５には、挟持部となるスナップ２２が複数箇所に設けられている。スナップ２２は、その一端にて基板部４に連接されている。スナップ２２は略Ｌ字状で、基板部４とはほぼ平行に配された底部２２ａは円形をしている。
【００３０】
また、スナップ２２の１つには、逆止部となるストッパ突起２３が底部２２ａの上面に設けられている。なお、本実施例ではストッパ突起２３は２つ以上のスナップ２２に設けてもよい。例えば、各スナップ２２にストッパ突起２３を設けてもよい。
【００３１】
図６（ｅ）に示すように、本実施例のガスケット２１が取り付けられる板部材（電子機器の筐体）１５には、スナップ２２の底部２２ａの外周寸法をわずかに上回る寸法の円形の取付穴２６が、スナップ２２の数と同数、スナップ２２の配置間隔に対応して設けられている。また、ストッパ突起２３を備えるスナップ２２に対応する取付穴２６に隣接して、ストッパ突起２３のための係止穴２７が設けられている。
【００３２】
図７に示すように、ガスケット２１を板部材１５に取り付けるには、基板部４の下面５を板部材１５に対面させて（ａ）、各スナップ２２を取付穴２６に挿入し（ｂ）、ガスケット２１を板部材１５の表面に沿って、スナップ２２の先端方向に移動させる（ｂ〜ｃ）。
【００３３】
すると、スナップ２２の底部２２ａが取付穴２６の縁部に重なって基板部４との間に板部材１５の一部を挟持する。
また、スナップ２２の１つに設けられているストッパ突起２３が、取付穴２６の縁部を乗り越えて係止穴２７に係止される。このため、上記とは逆方向へのガスケット２１の移動が規制されるので、ガスケット２１の板部材１５からの離脱が防止される。
【００３４】
ガスケット２１が取り付けられた板部材１５は、実施例１と同様（図４参照）に他の部材１７に組み付けられる。ガスケット２１のガスケット機能部３は、他の部材１７と板部材１５との間に挟まれて弾性変形することで他の部材１７に圧接する。これにより、導電性の他の部材１７（又は他の部材１７に設けられているアースパターン等）が、ガスケット機能部３の外皮材１２を介して板部材１５（又は板部材１５に設けられているアースパターン等）と電気的に導通する。このようにして２部材１５、１７間でグランドを取ることができ、また電磁波シールドもできる。
【００３５】
このように、ガスケット２１の板部材１５への取付は容易であり、取付相手となる板部材１５に設けられる取付穴２６の寸法も小さくて済む。
スナップ２２を取付穴２６に挿入してからガスケット２１を移動させて取り付けるので、このときに各スナップ２２が対応する取付穴２６に挿入されていることを確認すれば正常な取付になる。つまり、取付不良が生じにくい。
【００３６】
また、スナップ２２と基板部４との間に板部材１５の一部を挟持しているので、図４に示すように、板部材１５の組付け時等に横方向からの力がガスケット２１に及ぼされても、スナップ２２が取付穴２６から引き抜かれる（ガスケット２１が板部材１５から剥がされる）のを防止できる。すなわち、脱落しにくい。従って、メンテナンスを行うときなどにガスケット２１に接している他の部材１７を頻繁に交換しても容易に脱落しない。
【００３７】
一方、メンテナンス等でガスケット２１を取り外す場合には、細身や薄刃の工具等を用いて、ストッパ突起２３を係止穴２７から外せば、取付時とは逆方向への移動、すなわち取り外しが可能になるので、取り外しは容易である。その際にガスケット２１を傷つけずに取り外せるので、取り外したガスケット２１の再使用も可能である。
【００３８】
実施例１と同様に基板部４には、ナイロン、ＰＢＴ、ＡＢＳ等の樹脂が用いられるので、基板部４の端４ａを筐体等の壁面に密接させるのは困難である。しかし、本実施例のガスケット２１は、ガスケット機能部３の端部３ａが基板部４の長手方向の端４ａから突出している（ガスケット機能部３が基板部４の両端からはみ出している）ので、基板部４の端４ａを壁面等に密接できなくても、ガスケット機能部３の端部３ａは密接させることができる。これによって、ガスケット２１に要求されるシール、電磁波遮蔽の機能が充分に発揮される。
【００３９】
また、ガスケット２１の取り付けを要する部分が長くて１本では足りないとき、ガスケット２１を開口等のコーナー部分に配置したり、ガスケット２１をＴ字状に配置する場合には、複数本のガスケット２１を、相互に接続させる必要があるが、ガスケット機能部３が基板部４の端４ａからはみ出しているから、そのような接続部分においてガスケット機能部３同士を隙間なく接触させることができる。このように複数のガスケット２１を連続的に配置する場合にも、ガスケット２１に要求されるシール、電磁波遮蔽の機能が充分に発揮される。
【００４０】
しかも、本実施例のガスケット２１は、ガスケット機能部３の端部３ａが基板部４の両端４ａからはみ出しているので、基板部４や取付相手（板部材１５）に長さのばらつきが発生しても、ガスケット機能部３の基板部４からの突出部分がそうしたばらつきを吸収し、末端にまでシールすることができる。
［その他］
実施例１、２ではガスケット機能部３が基板部４の両端４ａからはみ出している構成であるが、一端だけが端４ａからはみ出している構成でもよい。
【図面の簡単な説明】
【００４１】
【図１】実施例１のガスケットの平面図（ａ）、正面図（ｂ）、底面図（ｃ）、背面図（ｄ）、左側面図（ｅ）、右側面図（ｆ）、拡大側面図（ｇ）。
【図２】実施例１のガスケットの樹脂部材の正面図（ａ）、底面図（ｂ）、左側面図（ｃ）、右側面図（ｄ）及び板部材の平面図（ｅ）。
【図３】実施例１のガスケットの取付説明図。
【図４】実施例１のガスケットの使用説明図。
【図５】実施例２のガスケットの平面図（ａ）、正面図（ｂ）、底面図（ｃ）、背面図（ｄ）、左側面図（ｅ）、右側面図（ｆ）、拡大側面図（ｇ）。
【図６】実施例２のガスケットの樹脂部材の正面図（ａ）、底面図（ｂ）、左側面図（ｃ）、右側面図（ｄ）及び板部材の平面図（ｅ）。
【図７】実施例２のガスケットの取付説明図。
【符号の説明】
【００４２】
１・・・ガスケット、
２・・・樹脂部材、
３・・・ガスケット機能部、
３ａ・・・端部、
４・・・基板部、
５・・・下面、
６・・・スナップ（挟持部）、
７・・・ストッパ突起（逆止部）、
１５・・・板部材、
１６・・・取付穴、
２１・・・ガスケット、
２２・・・スナップ（挟持部）、
２３・・・ストッパ突起（逆止部）、
２６・・・取付穴、
２７・・・係止穴。
【図１】
2007224975.tif 000003
【図２】
2007224975.tif 000004
【図３】
2007224975.tif 000005
【図４】
2007224975.tif 000006
【図５】
2007224975.tif 000007
【図６】
2007224975.tif 000008
【図７】
2007224975.tif 000009